【事件の表示】
　平成　５年特許願第１８３８３５号「全自動洗濯機」拒絶査定に対する審判事件［平成　７年　２月　３日出願公開、特開平　７−　３１７８４］について、次のとおり審決する。
【結　論】
　本件審判の請求は、成り立たない。
【理　由】
１．手続の経緯・本願発明
　本願は、平成５年７月２６日の出願であって、その請求項１に係る発明は、平成１３年２月１４日付け手続補正書により補正された明細書の記載からみて、その特許請求の範囲の請求項１に記載されたとおりの次のものと認められる（以下、「本願発明」という）。
「第１の給水弁と第２の給水弁とを具え、その第１の給水弁により槽内に給水し、第２の給水弁により仕上剤貯留部を通じて槽内に給水するようにしたものにおいて、前記槽内の水位を検知する水位検知手段を具えると共に、ためすすぎをする最終のすすぎ行程で、前記水位検知手段による検知結果から設定水位より低い所定水位までの給水を前記第１の給水弁により行なった段階で、該第１の給水弁による給水を続けながら、前記第２の給水弁による給水を設定水位に至るまでの間行なう制御をする制御手段を具えたことを特徴とする全自動洗濯機。」
　　　
２．引用刊行物に記載された発明
（１）これに対して、原査定の拒絶の理由において引用された刊行物である、特開平５−１３７８８８号公報（以下、「引用刊行物１」という）には、図面とともに以下の事項が記載されている。
（イ）「図１において、１は洗濯機本体で、２は水を溜める水槽、該水槽２は４本の支持機構３により吊り下げられている。４は洗濯兼脱水槽（以下脱水槽と云う）、５は洗濯物を撹拌するパルセータで脱水槽４の底中央部に回転自在に軸支されている。…（中略）…１１は給水から脱水までの一連の洗濯運転を運転プログラムに従って自動的に行うマイクロコンピュータを備えた制御回路である。１２は前記上部枠体１０に開閉自在に設けせられた蓋、１３は水槽２内へ水の給水を制御する給水弁で、第１給水バブル１３ａと第２給水バブル１３ｂの２つの給水バブルに連通している。１４は前記上部枠体１０に出し入れ自由に設けられた洗剤などの投入ケースで、該投入ケース１４は、粉末洗剤投入部１４ａ、液体洗剤投入部１４ｂ、柔軟仕上剤投入部１４ｃの三つの室から一体的に形成され、前記粉末洗剤投入部１４ａは、液体洗剤投入部１４ｂと隣接させ、かつ後方リブ１４ｄの両側に溝状の切欠部１４ｅを設けている。また液体洗剤投入部１４ｂと柔軟剤投入部１４ｃはリブ壁１４ｆ囲まれ、上方を開口した箱体でこの箱体内には、図３に示すように筒状通水穴２２を略垂直に設け、筒状通水穴２２を覆うように筒キャップ２２ａを嵌着させ、液体洗剤投入部１４ｂ、柔軟剤投入部１４ｃ内の液体をサイフォン現象にて箱体底面側へ筒状通水穴２２を介して滴下させる。前記洗剤などの投入ケース１４の上方には、図３および図４に示すように複数の水穴１５ａを設けた注水口１５ｂを配設し、前記第１バブル１３ａ、第２バブル１３ｂと給水ホース１９，２０を介して連通する給水接続口１５ｃを備えた注水口本体１５と注水口１５ｂを収設するように箱体に形成せしめている。」点（段落【００１４】〜【００１８】）
（ロ）「本発明の洗濯機の運転プログラムを図９、図１０に示すフローチャートに基いて説明する。…（中略）…なお、上記洗濯開始後から洗濯終了までの間は従来であれば、洗濯中に設定水位より水位が下がった場合は、水位センサー（図示せず）からの信号によって給水弁１３が開放され、給水が行われるが、本発明は、水位の低下にかかわらず洗濯終了まで複数回給水弁１３が開閉され、断続的に洗剤投入ケース１４に注水するように制御回路１１に備えたマイクロコンピュータに運転プログラムを予め記憶させている。脱水槽４に設定水位まで給水されるとパルセータ５が回転し、すすぎ１が開始される。所定時間のすすぎ１が終了すると排水弁９が開となり洗濯水が機外に排水される。排水が終了すると再び中間脱水が行なわれ所定時間の中間脱水が終わると、給水弁１３が開となるとともに第１給水バルブ１３ａと第２給水バルブ１３ｂとも開となる。この時、第１給水バルブ１３ａの開放はすすぎ２を行なうための給水用で、第２バルブ１３ｂの開放は、柔軟仕上げ剤投入部１４ｃに投入されている柔軟仕上げ剤を脱水槽４内に投入するためで、投入部１４ｃへの給水により給水ホース２０を通って給水された水と一緒に柔軟仕上げ剤が混って脱水槽４内に注水されるものである。上記第２給水バルブ１３ｂは、後述する理由によって、第１給水バルブ１３ａの開放で連続給水中、開閉の制御を数回行なうようにしてある。脱水槽４に設定水位給水されると給水弁１３が閉じ、パルセータ５が回転してすすぎ２が行なわれ、その後排水、脱水が行なわれて洗濯が終了する。」点（段落【００２３】〜【００２７】）
（ハ）「一方、柔軟仕上剤用投入部、１４ｃに投入された液体柔軟仕上剤は、最終のすすぎ工程前に給水されるときに、給水弁１３と同時に第２給水バルブ１３ｂが開となり、三つの室へ給水される。投入部１４ａと１４ｂへ給水された水は、前述したような経路によって脱水槽４内に注水される。」点（段落【００３４】）
（ニ）「柔軟仕上投入部１４ｃに給水された水も、前述した液体洗剤投入部１４ｂに給水した水と同様、注水口１５ｂの水穴１５ａによってシャワー状に下方に向って噴流される。液体柔軟仕上剤はシャワー状に噴流された水によって混流されると同時に、柔軟仕上剤投入部１４ｃの洗剤水は増加し、筒状キャップ２２ａ内の筒状通水穴２２の頂部に位置する通水口に到達し、かつ洗剤水は筒体の後方壁１４ｆからオーバーフローする。前記後方壁は後方へ流れやすくするため、他の壁より低くしている。オーバーフローした洗剤水と筒状通水穴に引き込まれた洗剤水は注水口体１５の流水ガイド２３に案内され、前方へ押し流され、脱水槽４へ注水される。一定時間給水されると第２給水バルブ１３ｂは閉とされる。但し、第１給水バルブ１３ａは開のままで給水を続行する。」点（段落【００３５】）
（ホ）「第２給水バルブ１３ｂの給水が止められると、柔軟仕上剤投入部１４ｃに残留した洗剤水はサイフォン現像作用により筒状キャップ２２ａの底面の水位まで引き込みほとんどの洗剤水を下方へ滴下させる。その後、ｔ秒経過すると再び第二給水バルブＢ１３ｂが開となり柔軟仕上剤投入部１４ｃに給水され、残留していた洗剤水が押し流される。以後、脱水槽４内の水位が設定水位に達するまで、すなわち給水弁１３が閉じられるまで第２給水バルブ１３ｂの開閉を数回おこない前述したように柔軟仕上剤投入部１４ｃへの断続的な給水をおこなう。」点（段落【００３６】）
　上記（イ）〜（ホ）の記載及び図面の記載を総合すると、上記引用刊行物１には、「第１給水バルブと第２給水バルブとを具え、その第１給水バルブにより脱水槽内に給水し、第２給水バルブにより柔軟仕上剤投入部を通じて脱水槽内に給水するようにしたものにおいて、前記脱水槽内の水位を検知する水位センサーを具えると共に、最終のすすぎ工程で、該第１給水バルブによる給水を続けながら、前記第２給水バルブによる給水を設定水位に至るまでの間行なう制御をする運転プログラムを具えた、全自動洗濯機。」の発明（以下、「引用発明１」という）が記載されているものと認められる。
　　　
（２）また、同じく引用された刊行物である、特開昭５０−２２４７１号公報（以下、「引用刊行物２」という）には、図面とともに以下の事項が記載されている。
（イ）「第１スイッチＳ１の接点ａには水槽内の水位が定格水位Ａになった時接点ＮＣより接点ＮＯに切り替わる第１圧力スイッチＰＳ１の切替片が接続されると共に、該第１スイッチＳ１の接点ｂには水槽内の水位が定格水位Ｂになった時接点ＮＣより接点ＮＯに切り替わる第２圧力スイッチＰＳ２の切替片が接続される。」点（第２頁左上欄第６〜１３行）
（ロ）「而して脱水作業が完了すると、…（中略）…水槽２内がＢ水位に達するまで給水され、Ｂ水位に達すると第２圧力スイッチＰＳ２が接点ＮＣより接点ＮＯに切り替わると同時に第８スイッチＳ８が閉成され電磁部Ｍｇ２に通電されて水槽２内に仕上剤が投入される。仕上剤が投入された後しばらくの間はパイロットランプＰＬ及びタイマーモーターＴＭを除いた他動作は停止する。而して、所定時間経過すると…（中略）…水槽２内がＡ水位に達するまで給水されると共にモーターＭに通電されて再び濯ぎ作業が行われる。」点（第２頁右下欄第３〜１８行）
（ハ）「本発明は、以上の如く最終給水工程を前段給水工程と後段給水工程に２分すると共に、該前，後段給水工程の間に給水休止区分を設け、この給水休止区分中に仕上剤を投入する工程を介挿してなるものであるから、仕上剤を投入して効果のある最小水量で仕上剤を投入することができ、仕上剤の使用量も少なくすみ、また前記水量の選択も容易に設定でき、しかも仕上剤の効果を十分に果すことができる。」点（第３頁第３〜１１行）
　　　
３．対比・判断
　そこで、本願発明と上記引用発明１とを対比すると、上記引用発明１の「第１給水バルブと第２給水バルブ」は、本願発明の「第１の給水弁と第２の給水弁」に、その機能と構造からみて、相当し、以下同様に、「脱水槽」は「槽」に、「柔軟仕上剤投入部」は「仕上剤貯留部」に、「水位センサー」は「水位検知手段」に、「最終のすすぎ工程」は「最終のすすぎ行程」に、「運転プログラム」は「制御手段」に、それぞれ相当している。
　また、上記引用発明１の「最終のすすぎ工程」は脱水槽に設定水位まで給水して行っているものであるから、「ためすすぎ」であることは明らかである。
　そうしてみると、両者は「第１の給水弁と第２の給水弁とを具え、その第１の給水弁により槽内に給水し、第２の給水弁により仕上剤貯留部を通じて槽内に給水するようにしたものにおいて、前記槽内の水位を検知する水位検知手段を具えると共に、ためすすぎをする最終のすすぎ行程で、該第１の給水弁による給水を続けながら、前記第２の給水弁による給水を設定水位に至るまでの間行なう制御をする制御手段を具えたことを特徴とする全自動洗濯機。」である点で一致しており、次の（Ａ）点で相違しているものと認められる。
　　　
（Ａ）仕上剤の投入時期について、本願発明においては、水位検知手段による検知結果から設定水位より低い所定水位までの給水を第１の給水弁により行なった段階であるのに対して、引用発明１においては、給水弁１３が開となるとともに第１給水バルブ１３ａと第２給水バルブ１３ｂとも開となる時期、すなわち最終のすすぎ工程の当初である点
　　　
　そこで、上記相違点（Ａ）について検討する。
　引用刊行物２には、全自動洗濯機において、最終の濯ぎ工程のための給水工程を前段給水工程と後段給水工程に２分すると共に、水位検知手段（第２圧力スイッチ）の検知結果から、設定水位（水位Ａ）より低い所定水位（水位Ｂ）となる前段給水工程後のタイミングにて仕上剤を投入することが記載されている。そして、これにより、仕上剤を投入して効果のある最小水量で仕上剤を投入することができ、仕上剤の使用量も少なくすみ、また前記水量の選択も容易に設定でき、しかも仕上剤の効果を十分に果すことができることが記載されている。
　そうしてみると、最終のすすぎ工程において仕上剤を投入している点で同様の構成を備えている引用発明１において、その仕上剤の投入時期について、上記引用刊行物２に記載された時期を採用することには何ら困難性はないから、上記相違点（Ａ）において本願発明のようにすることは、当業者が容易に想到し得ることといえる。
　そして、本願発明による作用効果についても、上記引用刊行物１および２に記載されたものから当業者が予測し得る範囲内のものにすぎない。
　　　
４．むすび
　したがって、本願発明は、引用刊行物１および２に記載された発明に基いて当業者が容易に発明をすることができたものであるから、特許法第２９条第２項の規定により特許を受けることができない。
　よって、結論のとおり審決する。